(57)【特許請求の範囲】
【請求項１】
車両の運転者の飲酒状態を取得する飲酒状態取得手段と、
運転者でない第三者であるか否かを判定する第三者判定手段と、
前記第三者判定手段により判定された第三者によって前記飲酒状態取得手段により取得された前記飲酒状態を修正可能とした飲酒状態修正手段と、
を備えた飲酒状態検出システム。
【請求項２】
前記飲酒状態修正手段は、前記運転者の飲酒運転に対し責任を負う第三者によって前記飲酒状態を修正可能とされていることを特徴とする請求項１に記載の飲酒状態検出システム。
【請求項３】
前記第三者を特定するための第三者情報と前記飲酒状態の修正情報を対応付けて記録する情報記録手段を備えたことを特徴とする請求項１又は２に記載の飲酒状態検出システム。
【請求項４】
前記第三者は、前記運転者が運転する車両の同乗者又は前記運転者が入店した飲食店関係者であることを特徴とする請求項１〜３のいずれか一項に記載の飲酒状態検出システム。
【発明の詳細な説明】
【技術分野】
【０００１】
本発明は、車両の運転者の飲酒状態を検出する飲酒状態検出システムに関するものである。
【背景技術】
【０００２】
従来、車両の運転者の飲酒状態を検出する装置として、特開２００４−２４９８４７号公報に記載されるように、車両にアルコールセンサを設置し、その車両の運転者の飲酒状態を検出するものが知られている。この装置は、アルコールセンサが所定値を超えた場合に車両の機構の作動を阻止することにより、飲酒運転を防止しようとするものである。
【特許文献１】特開２００４−２４９８４７号公報
【発明の開示】
【発明が解決しようとする課題】
【０００３】
しかしながら、このような装置にあっては、飲酒状態の精度を高めることが困難である。すなわち、飲酒状態であると判断する検出しきい値を高く設定して検出感度を上げると、誤検出が多くなってしまう。一方、飲酒状態であると判断する検出しきい値を低く設定して誤検出を低減させようとすると、飲酒状態の未検出や見逃しを生ずることとなり、適切な飲酒状態の検出が行えない。
【０００４】
そこで本発明は、このような問題点を解決するためになされたものであって、運転者の飲酒状態を第三者に修正させることで飲酒状態の検出精度の向上が図れる飲酒状態検出システムを提供することを目的とする。
【課題を解決するための手段】
【０００５】
すなわち、本発明に係る飲酒状態検出システムは、車両の運転者の飲酒状態を取得する飲酒状態取得手段と、運転者でない第三者であるか否かを判定する第三者判定手段と、前記第三者判定手段により判定された第三者によって前記飲酒状態取得手段により取得された前記飲酒状態を修正可能とした飲酒状態修正手段とを備えて構成されている。
【０００６】
この発明によれば、飲酒状態取得手段により取得された飲酒状態を運転者でない第三者によって修正可能としたことにより、飲酒状態取得手段により取得された飲酒状態が誤っていた場合であっても第三者の判断により信頼性を確保した上で飲酒状態を修正することができる。このため、飲酒状態の検出精度の向上が図れる。
【０００７】
また本発明に係る飲酒状態検出システムにおいて、前記飲酒状態修正手段は、前記運転者の飲酒運転に対し責任を負う第三者によって前記飲酒状態を修正可能とされていることが好ましい。
【０００８】
この発明によれば、運転者の飲酒運転に対し責任を負う第三者によって飲酒状態が修正されるため、飲酒状態の検出結果を信頼性の高いものとすることができる。
【０００９】
また本発明に係る飲酒状態検出システムにおいて、前記第三者を特定するための第三者情報と前記飲酒状態の修正情報を対応付けて記録する情報記録手段を備えることが好ましい。
【００１０】
この発明によれば、第三者を特定するための第三者情報と飲酒状態の修正情報を対応付けて記録することにより、第三者の判断の信頼性を向上させることができる。
【００１１】
さらに本発明に係る飲酒状態検出システムにおいて、前記第三者は、前記運転者が運転する車両の同乗者又は前記運転者が入店した飲食店関係者であることが好ましい。
【発明の効果】
【００１２】
本発明によれば、運転者の飲酒状態を第三者に修正させることにより飲酒状態の検出精度の向上を図ることができる。
【発明を実施するための最良の形態】
【００１３】
以下、添付図面を参照して本発明の実施の形態を詳細に説明する。なお、図面の説明において同一の要素には同一の符号を付し、重複する説明を省略する。
【００１４】
図１は本実施形態に係る飲酒状態検出システムを適用した飲酒運転防止システムの概略構成図である。
【００１５】
図１に示すように、本実施形態に係る飲酒状態検出システム１は、車両の運転者の飲酒状態を検出システムであって、飲食店１０に設置されている。飲食店１０には、飲酒状態取得部１１、飲酒状態修正部１２、飲酒状態記録部１３及び飲酒状態発行部１４が設けられている。飲食店１０は、酒類を提供する店であって、運転者が車両に乗って入店した店である。
【００１６】
飲酒状態取得部１１は、車両の運転者の飲酒状態を取得する飲酒状態取得手段と機能するものであり、例えばアルコール検知器が用いられる。この場合、飲食店で飲食した運転者が飲酒状態取得部１１の検知部に息を吹きかけることにより、飲酒状態取得部１１によって運転者の飲酒状態が検知され、設定されたアルコール濃度値を超えているか否かが検出される。
【００１７】
飲酒状態修正部１２は、飲酒状態取得部１１により検出された飲酒状態を運転者でない第三者によって修正可能とする飲酒状態修正手段として機能するものであって、例えば飲食店１０の店員によって飲酒状態結果を修正可能に設けられる。具体的には、飲酒状態取得部１１により検出された結果を店員のキー操作やボタン操作などによりその飲酒状態結果を修正することができる構成とされる。
【００１８】
その際、操作する者が店員であることをＩＤ、パスワードなどより確認される。このため、飲酒状態修正部１２は、修正操作する者が  運転者でない第三者であるか否かを判定する機能を備えており、第三者判定手段としても機能する。
【００１９】
また、ここでいう飲酒状態の修正とは、例えば飲酒していると判断されている状態を飲酒していないと判断されている状態に修正することをいう。なお、飲酒状態修正部１２は、警報やインターロック等の作動（非飲酒状態から飲酒状態に修正することに相当）または解除（飲酒状態から非飲酒状態に修正することに相当）する手段して機能するものであってもよい。
【００２０】
飲食店の店員は、車両の運転者の飲酒運転に対し責任を負う第三者である。このため、店員による飲酒状態の修正は信頼性の高いものとなる。また、店員は、運転者自身の状態、運転者の飲食状態に基づいて飲酒状態を修正できるため、適切な修正が可能である。例えば、飲酒状態取得部１１により運転者が飲酒している状態であると検出された場合であても、運転者が全く酒気を帯びていない場合、運転者が酒類を全く飲んでいない場合などにおいては、運転者の飲酒状態を飲酒していない状態として店員が修正することができる。
【００２１】
一方、飲酒状態取得部１１により運転者が飲酒していない状態であると検出された場合であっても、運転者が明らかに酒気を帯びている場合、運転者が設定時間以内に酒類を飲んでいる場合など、運転者の飲酒状態を飲酒している状態として店員が修正することができる。
【００２２】
これにより、運転者の飲酒状態を適切に修正することができ、運転者の飲酒状態の検出精度を高いものにすることができる。
【００２３】
飲酒状態記録部１３は、運転者の飲酒状態情報を記録するものであり、例えばメモリを有するパーソナルコンピュータなどが用いられる。飲酒状態記録部１３に記録される飲酒状態情報は、飲酒状態修正部１２により修正があった場合にはその修正された飲酒状態情報であり、飲酒状態修正部１２により修正がない場合には飲酒状態取得部１１にて取得された飲酒状態情報である。
【００２４】
また、飲食状態記録部１３は、飲食店１０の駐車場２０にて発行された駐車券の発券番号、発券ＩＤ又は駐車ＩＤ（以下、「発券番号など」という。）を記録し、その発券番号などに対応させて運転者の飲酒状態情報を記録する。
【００２５】
さらに、飲酒状態記録部１３は、第三者を特定するための第三者情報と飲酒状態情報を対応付けて記録することが好ましい。例えば、飲酒状態を修正した店員の情報と飲酒状態情報を対応付けて記録する。これにより、運転者が飲酒している状態か否かの判断するに際し、店員の不適切な判断を防止でき、その判断の信頼性を向上させることができる。
【００２６】
飲酒状態発行部１４は、飲酒状態記録部１３にて記録された運転者の飲酒状態情報を駐車場２０に対し発行するものである。この飲酒状態発行部１４としては、例えば駐車券に飲酒状態情報を記録するカードリーダライタなどが用いられる。駐車券には、駐車場２０で発券される際に発券番号などが記録される。
【００２７】
駐車場２０には、駐車場設備２１、車両ロック部２２及び飲酒状態読み取り部２３が設けられている。駐車場２０は、酒類を提供する店１０の駐車場である。また、駐車場２０は、店１０と他の店の専用駐車場であってもよい。例えば、店１０が大型商業施設の一店舗である場合、駐車場２０はその大型商業施設の共通駐車場であってもよい。
【００２８】
駐車場設備２１は、駐車場２０に入庫した車両に対し駐車券を発行する装置などが該当する。駐車券は、発券番号などが記録でき、飲酒状態情報が記録できるものであれば、記録方式として磁気式などいずれの方式のものを用いてもよい。また、駐車情報、飲酒状態情報などが記録、読み出しできる媒体であれば、携帯電話などの携帯端末、車両キーなどの駐車券以外のものを用いてもよい。
【００２９】
車両ロック部２２は、予め設定された出庫条件を満たさない車両の駐車場２０からの出庫を阻止する阻止手段として機能するのであり、車両の車輪に掛け止める輪留めタイプのものや出口ゲートタイプのものなどが用いられる。予め設定された出庫条件を満たさない場合としては、例えば車両の運転者が飲酒している状態である場合、設定された駐車料金が支払われていない場合などが該当する。
【００３０】
飲酒状態読み込み部２３は、駐車券に発券番号などを書き込んだり、駐車券に記録された飲酒状態情報を読み取るものであり、例えばカード書き込み及び読み取り機能を備えた発券装置が用いられる。
【００３１】
飲酒運転防止システムは、優良店ポイント申告機能を備えている。飲食店１０にて飲酒状態を検査し、その飲酒状態情報を発行した場合には、飲食店情報配信サーバ３１に優良店ポイント申告情報が送信される。この場合、例えば飲酒状態発行部１４と飲食店情報配信サーバ３１は、インターネットなどの通信手段により通信可能に接続され、優良店ポイント申告情報が送受信可能に構成される。飲食店情報配信サーバ３１は、例えば警察、市町村などが管理する管理施設に設置される。
【００３２】
また、飲酒運転防止システムは、優良店情報提供機能を備えている。例えば、飲食店情報配信サーバ３１から配信された優良店ポイント情報は、優良店情報データベース３２に記録される。優良店情報データベース３２に記録された優良店情報は、優良店ポイントを考慮して検索表示順位が決定される。
【００３３】
このため、検索エンジン３３によりインターネットなどを介して飲食店を検索する場合、優良店ポイントが高い飲食店が優先的に検索結果リストに表示されることとなる。このため、飲食店側が本実施形態に係る飲酒運転防止システムの導入を控えることを防止することができる。
【００３４】
次に、本実施形態に係る飲酒状態検出システム及び飲酒運転防止システムの動作について説明する。
【００３５】
図２は飲酒運転防止システムにおける入庫処理を示すフローチャートであり、図３は本実施形態に係る飲酒状態検出システムにおける飲酒状態検出処理のフローチャートであり、図４は飲酒運転防止システムにおける出庫処理を示すフローチャートであり、図５は飲酒運転防止システムにおける優良店ポイント記録処理を示すフローチャートであり、図６は飲酒運転防止システムにおける検索優先順位設定処理を示すフローチャートであり、
【００３６】
図２に示す飲酒運転防止システムにおける入庫処理は、例えば駐車場設備２１及び飲酒状態読み取り部２３によって所定の時間周期で繰り返し実行される。
【００３７】
図２のＳ１０に示すように、車両の入庫があったか否かが判断される。この判断は、車両の入庫を検出するセンサの検出信号に基づいて行えばよい。Ｓ１０にて車両の入庫がないと判断された場合は、入庫処理が終了される。一方、Ｓ１０にて車両の入庫があったと判断された場合は、車両のロック処理が行われる（Ｓ１２）。このロック処理は、車両ロック部２２により車両の出庫をロックする処理である。例えば、車両ロック部２２にロック解除信号を出力せず、輪留めやゲートなどによって車両の出庫が阻止される。
【００３８】
そして、Ｓ１４に移行し、駐車券発行処理が行われる。駐車券発行処理は、発行番号などを記録した駐車券を発行する処理であり、例えば駐車場設備２１により行われる。そして、Ｓ１６に移行し、駐車情報送信処理が行われる。駐車情報送信処理は、駐車場２０の発券番号情報を飲食店１０に送信する処理である。この駐車情報送信処理を終えたら、入庫処理の一連の制御処理が終了される。
【００３９】
この入庫処理を行うことにより、駐車場２０に入庫した車両をロック状態とし、車両に対応した駐車情報を飲食店１０に送信することができる。
【００４０】
図３に示す飲酒状態検出システム１における飲酒状態検出処理は、飲酒状態検出システム１によって、所定の時間周期で繰り返し実行される。
【００４１】
図３のＳ２０に示すように、駐車情報受信処理が行われる。この駐車情報受信処理は、駐車場２０から送信される駐車情報を受信して記録する処理である。例えば、駐車情報は、飲酒状態記録部１３に記録される。
【００４２】
そして、Ｓ２２に移行し、飲食代金の支払いが行われたか否かが判断される。この判断処理は、レジなどの入力信号を飲酒状態検出システム１に入力し、その入力信号に基づいて飲食代金の支払いが行われたか否かを判断すればよい。Ｓ２２にて飲食代金の支払いが行われていないと判断された場合には、飲酒状態検出処理の一連の制御処理が終了される。一方、Ｓ２２飲食代金の支払いが行われたと判断された場合には、飲酒検査処理が行われる（Ｓ２４）。飲酒検査処理は、アルコール検出器などの飲酒検査装置により運転者の飲酒状態を検査し、その検査結果を入力する処理である。
【００４３】
そして、Ｓ２６に移行し、飲酒状態情報と駐車場の発券番号などの駐車情報が記録される。飲酒状態情報は、運転者が飲酒している状態であるか否かの情報を記録することが好ましい。駐車情報は、駐車券の情報をカードリーダなどで読み込んで記録すればよい。
【００４４】
そして、Ｓ２８に移行し、飲酒状態情報に修正があったか否かが判断される。例えば、飲酒している状態であるという検査結果が出た場合にその飲酒状態情報を飲酒していないものに修正したか、又は飲酒していない状態であるという検査結果が出た場合にその飲酒状態情報を飲酒しているものに修正したかが判断される。
【００４５】
この飲酒状態情報を修正すべきか否かは、運転者以外の第三者、例えば飲食店の店員によって判断される。この場合、飲酒状態情報の修正情報と修正した第三者の情報を対応付けて記録しておくことが好ましい。これにより、修正記録と修正主体が明確となるため、第三者の飲酒状態判断の信頼性を向上させることができる。
【００４６】
Ｓ２８にて飲酒状態情報に修正がなかったと判断された場合には、Ｓ３２に処理が移行する。一方、Ｓ２８にて飲酒状態情報に修正があったと判断された場合には、飲酒状態情報の修正情報が記録される（Ｓ３０）。そして、Ｓ３２に移行し、飲酒状態情報と駐車情報が駐車場２０側へ送信される。このＳ３２の送信処理を終えたら、飲酒状態検出処理の一連の制御処理を終了する。
【００４７】
この飲酒状態検出処理によれば、飲酒検出装置により検出した飲酒状態を運転者でない第三者によって修正可能としたことにより、飲酒検出装置により検出された飲酒状態が誤っていた場合であっても第三者の判断により信頼性を確保した上で飲酒状態を修正することができる。このため、飲酒状態の検出精度の向上が図れる。
【００４８】
また、運転者の飲酒運転に対し責任を負う第三者、例えば飲食店の店員によって飲酒状態が修正されるため、飲酒状態の検出結果を信頼性の高いものとすることができる。その際、運転者の飲酒運転に対し責任を負う第三者として車両の同乗者によって飲酒状態が修正されてもよい。この場合であっても、運転者の飲酒運転に対し責任を負う第三者が情報修正を行うため、飲酒状態の検出結果を信頼性の高いものとすることができる。
【００４９】
また、第三者を特定するための第三者情報と飲酒状態の修正情報を対応付けて記録することにより、第三者の判断の信頼性を向上させることができる。
【００５０】
図４に示す飲酒運転防止システムにおける出庫処理は、例えば駐車場２０の飲酒状態読み取り部２３などによって、所定の時間周期で繰り返し実行される。
【００５１】
図４のＳ４０に示すように、発券番号などの駐車情報と飲酒状態情報の受信処理が行われる。この受信処理は、飲食店１０側から送信される駐車情報と飲酒状態情報を受信し、それらの情報を対応付けて記録する処理である。
【００５２】
そして、Ｓ４２に移行し、駐車券の入力があったか否かが判断される。例えば、運転者が駐車券を駐車場設備２１に挿入し、その駐車券に記録情報が読み込まれた場合、駐車券の入力があったと判断される。一方、駐車券に記録情報が読み込まれていない場合、駐車券の入力がないと判断される。
【００５３】
Ｓ４２にて駐車券の入力がないと判断された場合には、出庫処理の一連の制御処理が終了される。一方、Ｓ４２にて駐車券の入力があったと判断された場合には、駐車券の発行番号などが読み込まれ、それに対応する飲酒状態情報が読み出される。
【００５４】
そして、Ｓ４６に移行し、飲酒状態情報に基づいて運転者が運転可能であるか否かが判断される。例えば、運転者の飲酒状態が飲酒している状態であるときには、運転可能でないと判断される。一方、運転者の飲酒状態が飲酒していない状態であるときには、運転可能であると判断される。
【００５５】
Ｓ４６にて運転者が運転可能であると判断された場合には、ロック解除処理が行われる（Ｓ５０）。このロック解除処理は、車両ロック部２２のロックを解除する処理である。例えば、車両ロック部２２にロック解除信号が入力され、車両が出庫できる状態とされる。これにより、飲酒していない状態の運転者は車両を運転して駐車場２０から出ていくことができる。
【００５６】
一方、Ｓ４６にて運転者が運転可能でないと判断された場合には、ロック解除されない（Ｓ４８）。例えば、車両ロック部２２にロック解除信号が入力されず、車両が出庫できる状態とならない。これにより、飲酒している状態の運転者は車両を運転することができず、飲酒運転が防止される。
【００５７】
このような出庫処理によれば、飲酒している運転者の車両はロック解除がされないため、飲酒運転を確実に防止することができる。その際、運転者の飲酒状態は第三者の判断の下で検出され修正されているので、誤検出や未検出が低減され、精度よく検出されている。従って、飲酒状態に応じて適切な飲酒運転防止が行える。
【００５８】
図５に示す飲酒運転防止システムにおける優良店ポイント記録処理は、例えば飲食店情報配信サーバ３１などによって、所定の時間周期で繰り返し実行される。
【００５９】
図５のＳ６０に示すように、飲酒状態検出システムの利用情報の入力があったか否かが判断される。例えば、優良店ポイント申告情報の入力があった場合、飲酒状態検出システム利用情報の入力があったと判断される。一方、優良店ポイント申告情報の入力がない場合、飲酒状態検出システム利用情報の入力がないと判断される。
【００６０】
Ｓ６０にて飲酒状態検出システムの利用情報の入力がないと判断された場合には、制御処理を終了する。一方、Ｓ６０にて飲酒状態検出システムの利用情報の入力があったと判断された場合には、その飲食店について優良店ポイントがカウントアップされ（Ｓ６２）、その飲食店の優良店ポイントが優良店情報データベース３２に送信される（Ｓ６４）。
【００６１】
この優良店ポイント記録処理によれば、飲食店で飲酒状態検出システム又は飲酒運転防止システムを利用した場合に、その飲食店の優良店ポイントがカウントアップされて記録されることとなる。このため、飲酒状態検出システム又は飲酒運転防止システムを用いるほど飲食店の評価が高まるため、飲酒状態検出システム又は飲酒運転防止システムの積極利用を促進することができる。
【００６２】
図６に示す飲酒運転防止システムにおける検索優先順位設定処理は、例えば優良店情報データベース３２などによって、所定の時間周期で繰り返し実行される。
【００６３】
図６のＳ７０に示すように、優良店ポイントの受信があったか否かが判断され（Ｓ７０）、優良店ポイントの受信があった場合には検索優先度の演算が行われる（Ｓ７２）。検索優先度の演算は、優良店ポイントの受信があった店舗についてその優良店ポイントを加味して検索優先度の演算を行う処理である。例えば、優良店ポイントが受信された店舗については検索優先度が高くなるように演算が行われる。
【００６４】
そして、検索優先順位の設定処理が行われる（Ｓ７４）。この設定処理は、優良店ポイントを考慮して検索結果の表示優先順位を設定する処理である。例えば、優良店ポイント以外の条件が同一の場合、優良店ポイントの大きい店舗が検索結果として優先的に表示される。
【００６５】
この検索優先順位設定処理によれば、店舗の優良店ポイントに応じてインターネットなどの検索時における検索結果の表示優先順位が設定される。このため、飲酒状態検出システム又は飲酒運転防止システムの積極利用を促進することができる。
【００６６】
以上のように、本実施形態に係る飲酒状態検出システムによれば、飲酒検出装置により検出した飲酒状態を運転者でない第三者によって修正可能としたことにより、飲酒検出装置により検出された飲酒状態が誤っていた場合であっても第三者の判断により信頼性を確保した上で飲酒状態を修正することができる。このため、飲酒状態の検出精度の向上が図れる。
【００６７】
また、運転者の飲酒運転に対し責任を負う第三者、例えば飲食店の店員や車両の同乗者によって飲酒状態が修正されるため、飲酒状態の検出結果を信頼性の高いものとすることができる。
【００６８】
また、第三者を特定するための第三者情報と飲酒状態の修正情報を対応付けて記録することにより、第三者の判断の信頼性を向上させることができる。
【００６９】
さらに、本実施形態に係る飲酒運転防止システムによれば、飲酒している運転者の車両はロック解除がされないため、飲酒運転を確実に防止することができる。その際、運転者の飲酒状態は第三者の判断の下で検出され修正されているので、誤検出や未検出が低減され、精度よく検出されている。従って、飲酒状態に応じて適切な飲酒運転防止が行える。
【００７０】
なお、上述した実施形態は本発明に係る飲酒状態検出システムの最良な実施形態を説明したものであり、本発明に係る飲酒状態検出システムは本実施形態に記載したものに限定されるものではない。本発明に係る飲酒状態検出システムは、各請求項に記載した要旨を変更しないように実施形態に係る飲酒状態検出システムを変形し、又は他のものに適用したものであってもよい。
【００７１】
例えば、上述した実施形態では飲酒状態取得部１１、飲酒状態修正部１２が飲食店１０に設置され車両ロック部２２が駐車場２０に設置される場合について説明したが、飲酒状態取得部１１、飲酒状態修正部１２、車両ロック部２２が車両に設置されていてもよい。例えば、車両に設置されるアルコール検出器などの飲酒状態取得部１１により飲酒しているか否かを検出し、その検出結果を個人認証等により第三者として判定された第三者がスイッチ操作などにより修正するものであってもよい。
【００７２】
また、管理センタに飲酒状態修正部１２が設置されていてもよい。例えば、飲酒状態取得部１１により取得された飲酒状態情報は管理センタに送信されて記録される。そして、第三者である管理センタのオペレータにより飲酒状態を修正可能とする構成としてもよい。
【図面の簡単な説明】
【００７３】
【図１】本発明の実施形態に係る飲酒状態検出システム及び飲酒運転防止システムの構成概要図である。
【図２】図１の飲酒運転防止システムの入庫処理を示すフローチャートである。
【図３】図１の飲酒状態検出システムの飲酒状態検出処理を示すフローチャートである。
【図４】図１の飲酒運転防止システムの出庫処理を示すフローチャートである。
【図５】図１の飲酒運転防止システムの優良店ポイント記録処理を示すフローチャートである。
【図６】図１の飲酒運転防止システムの検索優先順位設定処理を示すフローチャートである。
【符号の説明】
【００７４】
１…飲酒状態検出システム、１０…飲食店、１１…飲酒状態取得部、１２…飲酒状態修正部、１３…飲酒状態記録部、１４…飲酒状態発行部、２０…駐車場、２２…車両ロック部、２３…飲酒状態読み取り部。
【要約】
【課題】運転者の飲酒状態を第三者に修正させることで飲酒状態の検出精度の向上が図れる飲酒状態検出システムを提供すること。
【解決手段】車両の運転者の飲酒状態を検出するシステムであって、運転者の飲酒状態をアルコール検出器などによって検出し（Ｓ２４）、その検出結果について誤りがある場合には運転者以外の第三者によって検出結果を修正する（Ｓ２６）。これによりアルコール検出器などにより検出された飲酒状態が誤っていた場合であっても第三者の判断により信頼性を確保した上で飲酒状態を修正することができる。
【選択図】図３【図１】
0004207092.tif 000002
【図２】
0004207092.tif 000003
【図３】
0004207092.tif 000004
【図４】
0004207092.tif 000005
【図５】
0004207092.tif 000006
【図６】
0004207092.tif 000007